(57)【要約】【課題】  受発光素子に対応する回路素子の配置構造を、小型に形成して、全体をコンパクトにできるようにした多チャンネル光ファイバ受発光ユニットの素子配置構造の提供。【解決手段】  光ファイバ用光通信基板にあって、基板９，１０の中央部分に受光または発光素子１，２を配置し、その周囲に回路素子６，７を配置して成ることを特徴とする多チャンネル光ファイバ受発光ユニットの素子配置構造。【選択図】        図１
2006201684.tif 000002
【特許請求の範囲】
【請求項１】
光ファイバ用光通信基板にあって、基板の中央部分に受光または発光素子を配置し、その周囲に回路素子を配置して成ることを特徴とする多チャンネル光ファイバ受発光ユニットの素子配置構造。
【請求項２】
前記回路素子と前記受光または発光素子は１対１で対応するか、前記受光または発光素子数よりも回路素子数が少なく対応されて成ることを特徴とする請求項１記載の多チャンネル光ファイバ受発光ユニットの素子配置構造。
【請求項３】
前記回路素子と前記受光または発光素子を結ぶ配線は、各チャンネルで略同一の長さとなるように配線されて成ることを特徴とする請求項１記載の多チャンネル光ファイバ受発光ユニットの素子配置構造。
【請求項４】
受光または発光素子は、支持板を用いて配設するようにして成ることを特徴とする請求項１記載の多チャンネル光ファイバ受発光ユニットの素子配置構造。
【請求項５】
受光または発光素子は、リードフレーム上に設置され、レンズを形成する樹脂で外形を一体成型され、それが基板中央に配設するようにして成ることを特徴とする請求項１記載の多チャンネル光ファイバ受発光ユニットの素子配置構造。
【請求項６】
回路素子は、受光または発光素子の配置位置に対して円周上、楕円円周上、長円円周上にあるように配設されるようにして成ることを特徴とする請求項１記載の多チャンネル光ファイバ受発光ユニットの素子配置構造。
【請求項７】
回路素子は、受光または発光素子の配置位置に対して基板の上下に円周上、楕円円周上、長円円周上にあるように配設されるようにして成ることを特徴とする請求項１記載の多チャンネル光ファイバ受発光ユニットの素子配置構造。
【請求項８】
回路素子は、受光または発光素子の配置位置に対して基板の上下に円周上、楕円円周上、長円円周上にあるように配設され、その半径は、基板の厚さ分の距離の差を保証するように基板の上下で半径を異にするようにして成る、すなわち受光または発光素子を配設する側の半径より受光または発光素子を配設しない側の半径を小さくし配線遅延時間差を補正することを特徴とする請求項１記載の多チャンネル光ファイバ受発光ユニットの素子配置構造。
【発明の詳細な説明】
【技術分野】
【０００１】
本発明は、多チャンネル光ファイバコネクタの内部構造に係る、多チャンネル光ファイバ受発光ユニットの素子配置構造に関する。
【背景技術】
【０００２】
従来、受光または発光素子とそれに附随する回路素子が１対１に対応するものの場合、多チャンネル光ファイバ受発光素子と回路素子との位置関係は、図８（ａ），（ｂ）のように配置されていた。
【０００３】
即ち、発光素子１，受光素子２は、それぞれ発光基板３，受光基板４の端部に起立した支持板５ａ，５ａ上に一列に、もしくは纏めて置かれていた。そして、受発光素子１，２の素子間隔は、使用する光ファイバケーブルの太さと同じかそれに近い方が望ましく、数ミリの長さである。それに対し、基板３，４上に配置される回路素子６，７は、その大きさが、受発光素子１，２の単品より大きく、図示のように一列配置かもしくは扇状配置され、従って受光または発光素子１，２の配置幅より大きい横幅の配置となる。
【０００４】
ところで図９（ａ），（ｂ）のブロック図により上記従来構成の作用について説明する。
【０００５】
一方の回路素子６は、情報信号入力８により発光信号を発して発光素子１を点灯させて働かせる発光素子駆動用の素子であり、他方の回路素子７は、受光素子２が受光して光電変換した受光信号の微弱な信号電流を増幅，波形成形して信号出力する受光信号出力用の素子である。
【０００６】
そして、回路素子６，７とそれぞれの発光素子１，受光素子２との間には、図示されていないが必要な導線により、発光信号，受光信号を伝達している。
【０００７】
その導線は、各チャンネル間の信号の時間軸上のズレを最小にするために短い距離の配線を長い距離の配線と同じとなるように折り曲げ配線としている。
【特許文献１】実用新案登録第３０９９５９２号公報
【発明の開示】
【発明が解決しようとする課題】
【０００８】
従来のこの種の多チャンネル光ファイバ受発光素子の配置に関しては、夫々受光ユニットと発光ユニットとが各別に形成され、かつモジュールの横幅Ｌが回路素子６，７の配置により、制限されて大きくなっていた。
【０００９】
本発明は叙上の点に着目して成されたもので、受光または発光素子に対応する回路素子の配置構造を、小型に形成して、全体をコンパクトにできるようにした多チャンネル光ファイバ受発光ユニットの素子配置構造を提供することを目的とする。
【課題を解決するための手段】
【００１０】
本発明は、以下の構成を備えることにより、上記課題を解決できる。
【００１１】
（１）光ファイバ用光通信基板にあって、基板の中央部分に受光または発光素子を配置し、その周囲に回路素子を配置して成ることを特徴とする多チャンネル光ファイバ受発光ユニットの素子配置構造。
【００１２】
（２）前記回路素子と前記受光または発光素子は１対１で対応するか、前記受光または発光素子数よりも回路素子数が少なく対応されて成ることを特徴とする前記（１）記載の多チャンネル光ファイバ受発光ユニットの素子配置構造。
【００１３】
（３）前記回路素子と前記受光または発光素子を結ぶ配線は、各チャンネルで略同一の長さとなるように配線されて成ることを特徴とする前記（１）記載の多チャンネル光ファイバ受発光ユニットの素子配置構造。
【００１４】
（４）受光または発光素子は、支持板を用いて配設するようにして成ることを特徴とする前記（１）記載の多チャンネル光ファイバ受発光ユニットの素子配置構造。
【００１５】
（５）受光または発光素子は、リードフレーム上に設置され、レンズを形成する樹脂で外形を一体成型され、それが基板中央に配設するようにして成ることを特徴とする前記（１）記載の多チャンネル光ファイバ受発光ユニットの素子配置構造。
【００１６】
（６）回路素子は、受光または発光素子の配置位置に対して円周上、楕円円周上、長円円周上にあるように配設されるようにして成ることを特徴とする前記（１）記載の多チャンネル光ファイバ受発光ユニットの素子配置構造。
【００１７】
（７）回路素子は、受光または発光素子の配置位置に対して基板の上下に円周上、楕円円周上、長円円周上にあるように配設されるようにして成ることを特徴とする前記（１）記載の多チャンネル光ファイバ受発光ユニットの素子配置構造。
【００１８】
（８）回路素子は、受光または発光素子の配置位置に対して基板の上下に円周上、楕円円周上、長円円周上にあるように配設され、その半径は、基板の厚さ分の距離の差を保証するように基板の上下で半径を異にするようにして成る、すなわち受光または発光素子を配設する側の半径より受光または発光素子を配設しない側の半径を小さくし配線遅延時間差を補正することを特徴とする前記（１）記載の多チャンネル光ファイバ受発光ユニットの素子配置構造。
【発明の効果】
【００１９】
本発明によれば、従来の配置と異なり、横幅の狭い外形となり、受光または発光素子から基板上の回路素子までの距離が均一となるので、チャンネル間のばらつきのない多チャンネルユニット化が可能となる。
【００２０】
さらに、受光素子および発光素子を回路基板の中央に配置したことで、光ファイバケーブルプラグを回路基板の上部に配置されるレセプタクルの内部深くに差し込める構造となるためプラグの出っ張りが少なく、光ファイバ光通信装置への組み込みを小型効率化できる。
【発明を実施するための最良の形態】
【００２１】
以下に、本発明の一実施例を図面と共に説明する。
【実施例】
【００２２】
［実施例１］
図１は、本発明の一実施例を示す全体の概略斜面図である。
【００２３】
９は発光基板、５はこの基板９の中央個処に起立固定した発光素子用の支持板を示し、この支持板５には多チャンネル用の多数の発光素子１がプリント基板の構成で配設されている。そして、之等の発光素子１に対応した回路素子６が発光基板９の支持板５および発光素子１を中央にして、左右に整然と配設してある。
【００２４】
図２は、受光素子ユニットを示す拡大斜面図を示し、図１とその構成は同一である。符号について簡単に説明すれば、１０は受光基板、５はこの受光基板用の支持板、２は支持板５に設けた受光素子、７は回路素子を示す。
【００２５】
以上の構成を備えることにより、受光または発光素子用の支持板５が基板９の中央附近に配設され、その周りに電子回路の回路素子６，７が配置されることとなり、スペースが有効に使え、全体の面積を小さくすることができる。なお、受光または発光素子１，２と、それぞれの回路素子６，７とは導線などにより、略同一の長さをもって電気接続される（図示せず）。
【００２６】
この本発明に係るユニットＵ１，Ｕ２はいずれの横幅Ｌも従来に比し、短尺化できる。ただ、光信号伝送用の光ファイバプラグは、この回路基板上に設けたレセプタクルに挿入する場合に嵌合時のブレを抑えるためにある程度の長さを必要とし、受光素子および発光素子が回路素子の幅分で、その長さを吸収している。
【００２７】
従って、通常見られるようにプラグの外側への突き出しがなく、プラグが邪魔となることが少ない。
【００２８】
以上の実施例に示される発光または受光素子ユニットＵ１，Ｕ２には、図示されていないが、横一列に配設される受光または発光素子１，２を設けた基板９，１０の端部下側に電気接続のための端子を備えている。
【００２９】
［その他の実施例］
図４、図５、図６は、本発明のその他の実施例を示す全体の斜視図であり、受発光素子数、回路素子数は奇数個でも良くそれぞれ５個、７個の例である。
【００３０】
前述の実施例では、受光または発光素子用の支持板５は、通常の基板を用いているが、基板構造をとらず、リードフレーム上に受光または発光素子１，２を配置し、レンズを成型するものでも良い。そして基板９，１０上にはんだ付け，銀ペースト，コネクタ付け等で接続しても良い。
【００３１】
そして回路素子６，７の配置は、受発光素子１，２から回路素子６，７への距離が一定となるように、基板９，１０の上面の楕円円周上か長円円周上となるように配置されている。図６および図７の例では、回路素子６，７が基板９，１０の上下に均等に配置されて受発光混在基板を形成している。
【００３２】
さらに、回路素子６，７は、受光または発光素子の配置位置に対して基板９，１０の上下に円周上、楕円円周上、長円円周上にあるように配設され、その半径は、基板９，１０の厚さ分の距離の差を保証するように基板９，１０の上下で半径を異にするようにして成る、すなわち受発光素子１，２を配設する側の半径より受発光素子１，２を配設しない側の半径を小さくして構成するものである。
【００３３】
なお、図４、図５の基板９，１０も同様な受発光混在基板とすることができる。
【００３４】
回路素子６，７を配設した基板９，１０は、上記受光または発光素子１，２が接続される周囲に配置されており、基板９、１０の表面もしくは裏面もしくは両面に部品が配置される。これらは、同一のパターンをとるか、置かれた角度により最適なパターンとなるように構成される。
【００３５】
コネクタとして完成するには、図３（ａ）（ｂ）（ｃ）に示す工程を経て得られる、支持板５、基板９，１０上に熱伝導性樹脂成型もしくは金属成型されたレセプタクルを載せ、必要ならばケースを被せて形成する。
【００３６】
図において、符号１１はレセプタクル、１２はケース、１３は光ファイバ（ＰＯＦ）の挿入孔、１４は放熱フィン、１５はビスを示す。熱伝導性樹脂を用いたレセプタクルの場合には、放熱フィンは同一樹脂で一体成型される。
【図面の簡単な説明】
【００３７】
【図１】本発明に係る多チャンネル光ファイバ受発光ユニットの素子配置構造の一実施例を示す発光素子ユニットの拡大概略斜面図
【図２】図１の受光ユニットの拡大概略斜面図
【図３】（ａ），（ｂ），（ｃ）  コネクタとして構成する過程を示す図で、（ａ）は分解図、（ｂ）は分解側面図、（ｃ）は全体の斜面図
【図４】本発明のその他の実施例を示すユニットの拡大概略斜面図
【図５】本発明のその他の実施例を示すユニットの拡大概略斜面図
【図６】本発明のその他の実施例を示すユニットの拡大概略斜面図
【図７】本発明のその他の実施例を示すユニットの拡大概略側面図
【図８】（ａ），（ｂ）  従来例の２例を示す拡大概略斜面図
【図９】（ａ），（ｂ）  図８（ａ），（ｂ）のそれぞれの２例のブロック図
【符号の説明】
【００３８】
１  発光素子
２  受光素子
５  支持板
６，７  回路素子
９，１０  基板（混在基板）
Ｕ１  発光素子ユニット
Ｕ２  受光素子ユニット
【図１】
2006201684.tif 000003
【図２】
2006201684.tif 000004
【図３】
2006201684.tif 000005
【図４】
2006201684.tif 000006
【図５】
2006201684.tif 000007
【図６】
2006201684.tif 000008
【図９】
2006201684.tif 000009
【図７】
2006201684.tif 000010
【図８】
2006201684.tif 000011